(57)【要約】【課題】デジタルカメラ等で小容量記憶装置に記録したデータのバックアップを容易にする。【解決手段】小容量記憶装置を挿入する第一の入出力機構部と，第一の外部大容量記憶装置とデータ転送（複写）を行うための第二の入出力機構部と，データの高速無線通信が可能なＵＷＢ無線送受信部と，操作及び表示を行う操作・表示部と，第一の入出力機構部，第二の入出力機構部，ＵＷＢ無線送受信部及び操作・表示部を統括制御する統括制御部と，前記各ユニットに電源供給を行う電源供給部とで構成し，第一の入出力機構部に挿入されたメモリカード等のデータを，前記第二の入出力機構部を介して第一の外部大容量記憶装置にデータ転送（複写）を行う第一のバックアップ手段と，第一の入出力機構部に挿入されたメモリカード等のデータを，前記ＵＷＢ無線送受信部を介して外部大容量記憶装置部にデータ転送（複写）を行う第二のバックアップ手段を有する。【選択図】        図１
2004258825.tif 000002
【特許請求の範囲】
【請求項１】
小容量記憶装置（メモリカード等）を挿入する第一の入出力機構部と，第一の外部大容量記憶装置とデータ転送（複写）を行うための第二の入出力機構部と，データの高速無線通信が可能なＵＷＢ（Ｕｌｔｒａ  ＷｉｄｅＢａｎｄ）無線送受信部と，操作及び表示を行う操作・表示部と，前記第一の入出力機構部，第二の入出力機構部，ＵＷＢ無線送受信部及び操作・表示部を統括制御する統括制御部と，前記各ユニットに電源供給を行う電源供給部とで構成し，前記第一の入出力機構部に挿入されたメモリカード等のデータを，前記第二の入出力機構部を介して第一の外部大容量記憶装置にデータ転送（複写）を行う第一のバックアップ手段と，前記第一の入出力機構部に挿入されたメモリカード等のデータを，前記ＵＷＢ無線送受信部を介して第二の外部大容量記憶装置にデータ転送（複写）を行う第二のバックアップ手段を有する携帯型データバックアップインターフェース。
【発明の詳細な説明】
【０００１】
【発明の属する技術分野】
本発明は，デジタルカメラ等で小容量記憶装置（メモリカード等）に記録したデータのバックアップに関するものである。
【０００２】
【従来の技術】
昨今のデジタルカメラの高性能化・高画素化に伴い，デジタルカメラの画像ファイルは肥大化している。コンシューマー向け製品でも，４００万〜５００万画素といった高画素モデルのデジタルカメラが次々にリリースされており，ハイアマ／プロ用製品では，レンズ交換式の一眼レフ型デジタルカメラが次々とリリースされている。最新は１，１００万画素もの解像度を有している製品もあり，最高画質では画像１枚あたり１５ＭＢｙｔｅにも達する。例えば最高画質で１００枚の撮影を行うとメモリ容量は１．５ＧＢｙｔｅを必要とする。デジタルカメラ用メモリカードは大容量化の動きはあるものの，現状では一枚あたりの単価（ビット単価）が高額で，気軽に複数枚購入できる状況ではない。
【０００３】
メモリカード等のビット単価を下げるために，マイクロドライブ方式のハードディスクが開発され１ＧＢｙｔｅのものが販売されており，更に大容量化が計画されている。しかしながら，現在パーソナルコンピュータ使用されているハードディスクに比べると，現時点ではビット単価が高価であり，マイクロドライブ方式のハードディスクを複数枚購入できる状況ではない。したがって，現状ではプロを含むヘビーユーザーはノート型パーソナルコンピュータを持ち歩き，適宜バックアップを取りながら撮影をしているのが現状である。
【０００４】
前述のように，パーソナルコンピュータ使用されているハードディスク及びＵＳＢ（Ｕｎｉｖｅｒｓａｌ  Ｓｅｒｉａｌ  Ｂｕｓ）を介してデータをコピー／バックアップする大容量記憶装置などはビット単価がマイクロドライブ方式のハードディスクやメモリカードよりも廉価である。したがって，これらの大容量記憶装置と小容量記憶装置（メモリカード等）間を簡単に接続し，小容量記憶装置（メモリカード等）から大容量記憶装置にデータをコピー／バックアップできる携帯型データバックアップインターフェースが望まれる。
【０００５】
【考案が解決しようとする課題】
解決しようとする問題点は，コンパクトかつ簡単な操作でメモリカード等から画像ファイルを簡単な操作でバックアップできる装置があれば，プロを含むヘビーユーザーは，ノート型パーソナルコンピュータを持ち運ぶことなく，最小限のメモリカードがあれば，連続的に大量の撮影を続けることが可能となる。
【０００６】
【課題を解決するための手段】
本発明は，小容量記憶装置（メモリカード等）を挿入する第一の入出力機構部と，第一の外部大容量記憶装置とデータ転送（複写）を行うための第二の入出力機構部と，データの高速無線通信が可能なＵＷＢ（Ｕｌｔｒａ  ＷｉｄｅＢａｎｄ）無線送受信部と，操作及び表示を行う操作・表示部と，第一の入出力機構部，第二の入出力機構部，ＵＷＢ無線送受信部及び操作・表示部を統括制御する統括制御部と，前記各ユニットに電源供給を行う電源供給部とで構成し，第一の入出力機構部に挿入されたメモリカード等のデータを，前記第二の入出力機構部を介して第一の外部大容量記憶装置部にデータ転送（複写）を行う第一のバックアップ手段と，第一の入出力機構部に挿入されたメモリカード等のデータを，前記ＵＷＢ無線送受信部を介して外部大容量記憶装置部にデータ転送（複写）を行う第二のバックアップ手段を有する。
【０００７】
【発明の実施の形態】
小容量記憶装置（メモリカード等）に記録された画像ファイル等を，ＵＳＢ（ｏｒＩＥＥＥ１３９４）を介して第一の外部大容量記憶装置又はＵＷＢ無線送受信部を介して第二の外部大容量記憶装置部にコピー／バックアップする携帯型データバックアップインターフェースを提供する。
【０００８】
【実施例】
図１は，本発明の携帯型データバックアップインターフェースのブロック図である。図中１は小容量記憶装置（メモリカード等）を挿入する第一の入出力機構部を，２は第一の外部大容量記憶装置部とデータ転送（複写）を行うための第二の入出力機構部を，３はデータの高速無線通信が可能なＵＷＢ（Ｕｌｔｒａ  ＷｉｄｅＢａｎｄ）無線送受信部を，４は操作及び表示を行う操作・表示部を，５は前記した第一の入出力機構部，第二の入出力機構部，ＵＷＢ無線送受信部及び操作・表示部を統括制御する統括制御部を，６は前記の各ユニットに電源供給を行う電源供給部を，７は１〜６までの各ユニットで構成した携帯バックアップ装置をそれぞれ示す。なお，ＵＷＢ無線送受信部はデータ伝送速度が数十〜数百ＭＢＰＳで，消費電力が０．１ｍＷ以下という無線伝送方式を利用したものである。
【０００９】
図２は本発明の携帯型データバックアップインターフェースの外形説明図である。図中，図１に記載の内容と同一のものには同一番号を付しており，１は第一の入出力機構部を，２は第二の入出力機構部を，４は操作部（４ｂ）及び表示部（４ａ）を，６は各ユニットに電源供給を行う電源供給部を，７は携帯バックアップ装置をそれぞれ示す。本例では操作部にタッチスイッチを，表示部にＬＥＤ（ｌｉｇｈｔ  ｅｍｉｔｔｉｎｇ  ｄｉｏｄｅ）を示しているが，タッチパネル機能を有した液晶表示器で操作・表示部構成してもよい。また，電源供給部６は着脱式で構成しているために１次電池，２次電池，インバータ電源及び燃料電池など，それぞれのアダプタを使い分けることが可能である。
【００１０】
図３は本発明の携帯型データバックアップインターフェースの応用例であり，第一の外部大容量記憶装置部と組み合わせた一例を示している。図中，７が本発明の携帯型データバックアップインターフェースを示し，８は第一の外部大容量記憶装置，９はＵＳＢ（ｏｒＩＥＥＥ１３９４）端子等を示す。図中，図２に記載の内容と同一のものには同一番号を付している。本構成において，携帯型データバックアップインターフェース７と第一の外部大容量記憶装置８の接続は，第二の入出力機構部２とＵＳＢ（ｏｒＩＥＥＥ１３９４）端子９を接続ケーブル（図示せず）で接続する。なお，以降の説明では第二の入出力機構部２とＵＳＢ（ｏｒＩＥＥＥ１３９４）端子９は全てＵＳＢ端子を用いた場合の一例を示す。
【００１１】
図４は本発明の携帯型データバックアップインターフェースを用いたバックアップ手順の説明図である。以下，図１〜図３を参照し，第一の入出力機構部１に挿入された小容量記憶装置（メモリカード等）のデータを，第二の入出力機構部に接続されるＵＳＢ接続対応の携帯型大容量記憶装置又はＵＷＢ無線対応の大容量記憶装置にバックアップするまでの一例について説明する。
【００１２】
先ず，図３に示した携帯型データバックアップインターフェース７からＵＳＢ接続対応の携帯型大容量記憶装置（第一の外部大容量記憶装置）８にデータをバックアップする手順を，図４に示したフローチャートで説明する。図４のａ）で第一の入出力機構部１に小容量記憶装置（メモリカード等）が挿入されたかを検知する。小容量記憶装置（メモリカード等）が検知されると，ｂ）で携帯型データバックアップインターフェース７の表示部ＬＥＤ（４ａ）の１を点灯する。ｃ）で第二の入出力機構部２にＵＳＢ接続対応の携帯型大容量記憶装置８が接続されているか検知する。接続が検知できるとｄ）で表示部ＬＥＤ（４ａ）の２を点灯する。
【００１３】
この段階で小容量記憶装置（メモリカード等）から携帯型大容量記憶装置８にデータをバックアップする場合はｅ）で操作部のスイッチ（４ｂ）の１と２を同時に押す。ｆ）で表示部ＬＥＤ（４ａ）の１と２が点滅し，ｇ）で操作部のスイッチ（４ｂ）の１と２が押されているか判定し，ｈ）で小容量記憶装置（メモリカード等）から大容量記憶装置にデータのバックアップを開始する。ｉ），ｊ）で大容量記憶装置にデータのバックアップが終了したかの判定を行い，データのバックアップが終了すると，ｋ）で表示部ＬＥＤ（４ａ）を点滅から点灯に表示する。以上が小容量記憶装置（メモリカード等）から携帯型大容量記憶装置８にデータをバックアップする手順である。
【００１４】
次にＵＷＢ無線対応の大容量記憶装置に小容量記憶装置（メモリカード等）のデータをバックアップする場合について説明する。図４に示したフローチャートの  ｃ）で第二の入出力機構部２にＵＳＢ接続対応の携帯型大容量記憶装置８が接続されているか検知し，携帯型大容量記憶装置８が接続されて無い場合は，ｌ）でＵＷＢ無線送受信部の使用要求の有無を検知する。使用要求があれば  ｍ）で表示部ＬＥＤ（４ａ）の３を点灯する。ｎ）で操作部のスイッチ（４ｂ）の１と３を同時に押す。ｏ）で表示部ＬＥＤ（４ａ）の１と３が点滅し，ｐ）で操作部のスイッチ（４ｂ）が押されているか判定し，ｑ）で小容量記憶装置（メモリカード等）から大容量記憶装置にデータのバックアップを開始する。ｉ），ｊ）で大容量記憶装置にデータのバックアップが終了したかの判定を行い，データのバックアップが終了すると，ｋ）で表示部ＬＥＤ（４ａ）を点滅から点灯に表示する。以上が小容量記憶装置（メモリカード等）からＵＷＢ無線対応の大容量記憶装置にデータをバックアップする手順である。
【００１５】
図５は本発明のパーソナルコンピュータと携帯型大容量記憶装置（第一の外部大容量記憶装置）との接続例を示す。図中８はＵＳＢ接続対応の携帯型大容量記憶装置を，１０はノート型パーソナルコンピュータを，１１はパーソナルコンピュータ１０のＵＳＢ端子を，１２は第一の外部大容量記憶装置８とノート型パーソナルコンピュータ１０間の接続ケーブル（ＵＳＢ接続ケーブル）を，１３はＵＷＢ無線送受信ユニット示す。
【００１６】
前述した小容量記憶装置（メモリカード等）から携帯型データバックアップインターフェース７を介しての外部大容量記憶装置にコピー／バックアップしたデータをノート型パーソナルコンピュータ１０に最終的に保存するには，２種類の方法がある。
【００１７】
その一つの方法は，小容量記憶装置（メモリカード等）から携帯型データバックアップインターフェース７の第二の入出力機構部（ＵＳＢ接続対応）１を介して第一の外部大容量記憶装置（ＵＳＢ接続対応の携帯型大容量記憶装置）にコピー／バックアップしたデータの場合は，第一の外部大容量記憶装置（ＵＳＢ接続対応の携帯型大容量記憶装置）をパーソナルコンピュータ１０のＵＳＢ端子１１に接続ケーブル（ＵＳＢ接続ケーブル）１２で接続し，第一の外部大容量記憶装置（ＵＳＢ接続対応の携帯型大容量記憶装置）内のデータをパーソナルコンピュータ１０のハードディスクにコピーすることである。
【００１８】
もう一方の方法は，小容量記憶装置（メモリカード等）から携帯型データバックアップインターフェース７のＵＷＢ無線送受信部３を介して外部大容量記憶装置（ＵＷＢ無線対応の大容量記憶装置）にコピー／バックアップしたデータの場合は，パーソナルコンピュータ１０のＵＷＢ無線送受信ユニット１３を介して，第二の外部大容量記憶装置（ＵＷＢ無線対応の大容量記憶装置）内のデータをパーソナルコンピュータ１０のハードディスクにコピーすることである。なお，ＵＷＢ無線方式は今後に向けて有望な手段である。
【００１９】
【発明の効果】
以上説明したように本発明の携帯型データバックアップインターフェースは，ＵＳＢ接続可能な携帯型大容量記憶装置と簡単に接続でき，小容量記憶装置（メモリカード等）に記録された画像ファイル等を簡単にコピー／バックアップすることが可能である。したがって，携帯型データバックアップインターフェースとＵＳＢ接続可能な携帯型大容量記憶装置を使用することで，ノート型パーソナルコンピュータを持ち歩く必要が無くなる。また，ＵＳＢ接続可能な携帯型大容量記憶装置は軽量かつ大容量でビット単価もマイクロドライブ方式のハードディスクやメモリカードよりも廉価であるため，画像ファイル等をコピー／バックアップに有効に使用できる。更に，ＵＷＢ無線送受信部を備えているため，近い将来普及が見込まれるＵＷＢ無線方式を使用することで，携帯型大容量記憶装置を使用しなくても，小容量記憶装置（メモリカード等）に記録された画像ファイル等を簡単にコピー／バックアップすることが可能である。
【図面の簡単な説明】
【図１】本発明の携帯型データバックアップインターフェースのブロック図である。
【図２】本発明の携帯型データバックアップインターフェースの外形説明図である。
【図３】本発明の携帯型データバックアップインターフェースの応用例である。
【図４】本発明の携帯型データバックアップインターフェースの動説明図である。
【図５】本発明のパーソナルコンピュータと携帯型大容量記憶装置との接続例を示す。
【符号の説明】
１    第一の入出力機構部
２    第二の入出力機構部
３    ＵＷＢ無線送受信部
４    操作・表示部
５    データ転送・統括制御部
６    電源供給部
７    携帯型データバックアップインターフェース
８    第一の外部大容量記憶装置（携帯型大容量記憶装置）
９    携帯型大容量記憶装置のＵＳＢ端子
１０    パーソナルコンピュータ
１１    パーソナルコンピュータのＵＳＢ端子
１２    接続ケーブル
１３    ＵＷＢ無線送受信ユニット
【図１】
2004258825.tif 000003
【図２】
2004258825.tif 000004
【図３】
2004258825.tif 000005
【図４】
2004258825.tif 000006
【図５】
2004258825.tif 000007